(57)【要約】【課題】ユーザによる視認性を低下することなく通知を行えるように、表示器の発光と消灯とを制御する。【解決手段】電子機器は、電源スイッチがオン状態で電力が供給されて動作する第１の制御部と、電源スイッチがオン状態またはオフ状態で電力が供給されて動作する第２の制御部と、第１の制御部からの第１の信号に応じて第１の表示器を点灯または消灯する第１の回路と、第２の制御部からの第２の信号に応じて第２の表示器を点灯または消灯する第２の回路と、第１の制御部からの第３の信号に応じて、第２の表示器を第２の信号に関わらず消灯した状態に維持させる第３の回路と、を有する。【選択図】  図２
2017073097.tif 000002
【特許請求の範囲】
【請求項１】
電源スイッチがオン状態で電力が供給されて動作する第１の制御手段と、
電源スイッチがオン状態またはオフ状態で電力が供給されて動作する第２の制御手段と、
前記第１の制御手段からの第１の信号に応じて第１の表示器を点灯または消灯する第１の回路と、
前記第２の制御手段からの第２の信号に応じて第２の表示器を点灯または消灯する第２の回路と、
前記第１の制御手段からの第３の信号に応じて、前記第２の表示器を前記第２の信号に関わらず消灯した状態に維持させる第３の回路と
を有することを特徴とする電子機器。
【請求項２】
前記第１の表示器と前記第２の表示器は異なる色で発光し、共通の表示窓の近傍に配置されることを特徴とする請求項１に記載の電子機器。
【請求項３】
前記電子機器は、充電可能な電池を含む電力供給手段を取り外し可能であり、
前記第２の制御手段は、前記電子機器に接続されている前記電力供給手段の充電を制御することを特徴とする請求項１または２に記載の電子機器。
【請求項４】
前記第２の制御手段は、前記電力供給手段への充電状態に基づいて前記第２の表示器の点灯と消灯を制御することを特徴とする請求項３に記載の電子機器。
【請求項５】
前記電子機器は記憶媒体の取り外しが可能であり、
前記第１の制御手段は、電源がオンである期間、前記第３の信号を出力することで前記第２の表示器の消灯状態を維持することを特徴とする請求項１から４のいずれか１項に記載の電子機器。
【請求項６】
前記電子機器に接続されている記憶媒体へのアクセスの状態に応じて前記第１の信号を制御することで前記第１の表示器の点灯、消灯を行うことを特徴とする請求項１から５のいずれか１項に記載の電子機器。
【請求項７】
前記第１の制御手段により表示画面の表示内容が制御される表示手段をさらに有し、
前記第１の制御手段は、前記電源スイッチがオン状態において、前記第２の表示器により通知される内容を前記表示画面に表示することを特徴とする請求項１から６のいずれか１項に記載の電子機器。
【請求項８】
前記第１の制御手段により表示画面の表示内容が制御される表示手段をさらに有し、
前記第２の制御手段による前記電力供給手段への充電の状態を前記表示画面に表示することを特徴とする請求項３または４に記載の電子機器。
【請求項９】
コンピュータを、
電源スイッチがオン状態で電力が供給されて動作する第１の制御手段と、
電源スイッチがオン状態またはオフ状態で電力が供給されて動作する第２の制御手段と、
前記第１の制御手段からの第１の信号に応じて第１の表示器を点灯または消灯する第１の回路と、
前記第２の制御手段からの第２の信号に応じて第２の表示器を点灯または消灯する第２の回路と、
前記第１の制御手段からの第３の信号に応じて、前記第２の表示器を前記第２の信号に関わらず消灯した状態に維持させる第３の回路
として機能させるためのプログラム。
【発明の詳細な説明】
【技術分野】
【０００１】
本発明は、電子機器及びプログラムに関するものである。
【背景技術】
【０００２】
電子機器に電力の供給を行う電力供給装置として、充電可能な電池を有する電池パックがある。外部から供給される電力で電池パックの充電が可能な電子機器では、充電中には表示器が発光し、充電完了すると表示器が消灯するように制御することで、ユーザに充電状態を知らせることできる。
【０００３】
電子機器の状態を表示するための表示器として、異なる色を発光する２つの表示器と共通の表示窓とを有する２色発光表示器が知られている。特許文献１には、２色発光表示器を用いて、移動無線端末の電池電圧が規定値内である状態とそれ以外の状態とを異なる発光色によって表示することが開示されている。
【先行技術文献】
【特許文献】
【０００４】
【特許文献１】特開平８−２２３６４６号公報
【発明の概要】
【発明が解決しようとする課題】
【０００５】
特許文献１では、表示の対象となる状態が同時に発生することがない。そのため、２色発光表示器において、２つの色が同時に発光するような場合が存在しない。したがって、２つの色が同時に発光する場合における視認性の低下は考慮されていない。
【０００６】
例えば、記憶媒体へのアクセス状態と、電池パックの充電状態とは、同時に発生し得る複数の異なる状態である。このような同時に発生し得る２つの異なる状態を１つの２色発光表示器で通知しようとすると、２色が同時に発光してしまい視認性が低下してしまう。２色発光表示器において２つの表示器が同時に発光すると、混色が生じるためである。このような問題は、２つの異なる色を発光することができる２色発光表示器だけでなく、２つ以上の異なる色を発光することができる多色発光表示器にも生じ得る問題である。
【０００７】
そこで、本発明は、ユーザによる視認性を低下することなく通知を行えるように、表示器の発光と消灯とを制御することを目的とする。
【課題を解決するための手段】
【０００８】
本発明に係る電子機器は、電源スイッチがオン状態で電力が供給されて動作する第１の制御手段と、電源スイッチがオン状態またはオフ状態で電力が供給されて動作する第２の制御手段と、前記第１の制御手段からの第１の信号に応じて第１の表示器を点灯または消灯する第１の回路と、前記第２の制御手段からの第２の信号に応じて第２の表示器を点灯または消灯する第２の回路と、前記第１の制御手段からの第３の信号に応じて、前記第２の回路が前記第２の表示器を前記第２の信号に関わらず消灯した状態に維持させる第３の回路とを有する。
【発明の効果】
【０００９】
本発明によれば、ユーザによる視認性を低下することなく通知を行えるように、表示器の発光と消灯とを制御することができる。
【図面の簡単な説明】
【００１０】
【図１Ａ】実施形態１における電子機器１００の外観の一例を示す図である。
【図１Ｂ】実施形態１における電子機器１００の外観の一例を示す図である。
【図２】実施形態１における電子機器１００が有する複数の構成要素の一例を示すブロック図である。
【図３】第１の発光制御部２１７、第２の発光制御部２１８及び消灯制御部２１９の構成の一例を示す図である。
【図４】実施形態１における電子機器１００で行われる第１の発光制御処理の一例を示すフローチャートである。
【図５】実施形態１における電子機器１００で行われる第２の発光制御処理の一例を示すフローチャートである。
【発明を実施するための形態】
【００１１】
以下、図面を参照して本発明の実施形態を説明する。ただし、本発明は以下の実施形態に限定されるものではない。
【００１２】
［実施形態１］
図１Ａ及び図１Ｂは、実施形態１における電子機器１００の外観の一例を示す図である。図１Ａは、電子機器１００を正面から見た図であり、図１Ｂは、電子機器１００を裏面から見た図である。実施形態１では、電子機器１００が例えばデジタルカメラとして動作する撮像装置である場合を説明するが、電子機器１００はデジタルカメラに限るものではない。電子機器１００は、例えば、携帯端末、携帯電話、ノートＰＣであってもよい。
【００１３】
撮像光学系１０１は、撮像レンズ及びシャッターを含み、光学像を撮像素子（ＣＣＤセンサなど）の受光面上に結像させる。表示部１０２は、表示画面として例えば液晶表示器等を有し、画像または情報を表示する。表示部１０２に表示される画像または情報といった表示内容は、システム制御部２０７（図２参照）により制御される。シャッターボタン１０３は、ユーザによる撮像指示を受け付ける部材である。指示入力部１０４は、ユーザからの指示を受け付ける各種スイッチ、ボタン、タッチパネル等の部材を有する。電源スイッチ１０５は、ユーザからの指示に応じて、電子機器１００を電源オン状態または電源オフ状態に切り替える。
【００１４】
記憶媒体１０６は、電子機器１００から取り外し可能であり、例えば、不揮発性メモリを有する。メモリカードは、記憶媒体１０６の一例である。第１の接続部１０７には、記憶媒体１０６が接続される。多色発光表示器１０８は、電子機器１００の状態をユーザに通知するために複数の異なる色のいずれかで発光する。第２の接続部１０９は、外部装置との接続が可能である。第２の接続部１０９は、例えば、ＵＳＢ（Ｕｎｉｖｅｒｓａｌ  Ｓｅｒｉａｌ  Ｂｕｓ）ケーブルを接続し、外部装置とデータ通信を行ったり、外部装置から供給される電力を受電したりすることができる。電池パック１１０は、電子機器１００から取り外し可能であり、充電可能な電池を含む。電池パック１１０は、電子機器１００に接続されると、第３の接続部２１２（図２参照）を介して電子機器１００に電力供給を行ったり、第２の接続部１０９を介して外部装置から供給される電力により充電されたりする。
【００１５】
図２は、実施形態１における電子機器１００が有する複数の構成要素の一例を示すブロック図である。
図２において、撮像レンズ２０１及びシャッター２０２は、撮像光学系１０１に含まれる。撮像部２０３は、撮像素子（ＣＣＤセンサなど）、相関二重サンプリング部、プログラマブル・ゲイン・アンプ部、アナログデジタルコンバータなどを有し、光学像から画像データを生成する。画像処理部２０４は、撮像部２０３で生成された画像データに所定の画像処理を施す。タイミング信号発生部２０５は、撮像部２０３や画像処理部２０４を動作させるためのタイミング信号を発生する。光学系駆動部２０６は、システム制御部２０７の制御下で撮像レンズ２０１やシャッター２０２を駆動させる。
【００１６】
システム制御部２０７は、電源スイッチ１０５がオン状態で電源制御部２１３から供給される電力により動作し、電子機器１００が有する各構成要素を制御する。画像処理部２０４で処理された画像データは、システム制御部２０７を介して、第１のメモリ２０８に書き込まれる。第１のメモリ２０８は、撮像部２０３によって得られ、画像処理部２０４によりデジタルデータに変換された画像データや、表示部１０２に表示するための画像データを格納する。第１のメモリ２０８は、所定枚数の静止画像と所定時間の動画像および音声とを格納するのに十分な記憶容量を有している。第１のメモリ２０８は、画像表示用のメモリを兼ねている。
【００１７】
表示制御部２０９は、システム制御部２０７の指示により、第１のメモリ２０８に格納されている画像表示用のデータに、必要に応じ所定のデータを重畳し、表示部１０２に供給する。こうして、第１のメモリ２０８に書き込まれた表示用の画像データは、液晶ディスプレイ等の表示器である表示部１０２で表示される。
【００１８】
第２のメモリ２１０は、電気的に消去、記録可能な不揮発性のメモリであり、例えばＥＥＰＲＯＭ等が用いられる。第２のメモリ２１０には、システム制御部２０７により実行される制御方法を記載したプログラム、プログラムを実行する際に使用されるパラメータ及びテーブル等の制御データ、並びにキズアドレス等の補正データが記憶されている。ここでいう、プログラムとは、後述するフローチャートで示される処理をシステム制御部２０７に実行させるためのプログラムを含む。
【００１９】
第１のメモリ２０８は、システム制御部２０７が、電子機器１００が有する各構成要素を制御する際に使用するシステムメモリを兼ねている。システムメモリには、第２のメモリ２１０に記憶されたプログラム、制御データ及び補正データ等がロードされる。例えば、システム制御部２０７の動作が開始された場合において、第２のメモリ２１０から必要なプログラム、制御データ及び補正データ等が第１のメモリ２０８に記憶される。必要に応じて、追加のプログラムやデータが第２のメモリ２１０から第１のメモリ２０８に転送される。記憶媒体制御部２１１は、システム制御部２０７の指示により、第１の接続部１０７に接続されている記憶媒体１０６にデータの書き込みや読み出しを実行する。
【００２０】
シャッターボタン１０３及び指示入力部１０４は、システム制御部２０７にユーザからの指示を入力するための部材である。シャッターボタン１０３が半押し状態である場合に生じる撮像準備指示信号で、システム制御部２０７は、ＡＦ（オートフォーカス）処理、ＡＥ（自動露出）処理、ＡＷＢ（オートホワイトバランス）処理等を開始する。さらに、シャッターボタン１０３が全押し状態である場合に生じる撮像指示信号で、システム制御部２０７は、撮像の開始を撮像部２０３に指示する。撮像部２０３で生成された画像データは、記憶媒体制御部２１１により第１の接続部１０７を介して記憶媒体１０６に格納される。
【００２１】
第３の接続部２１２は、電子機器１００に電力の供給を行う電池パック１１０を接続する。電源制御部２１３は、電源スイッチ１０５からの指示信号に基づいて、必要な電力を必要な期間、システム制御部２０７を含む各構成要素に供給する。充電放電制御部２１４は、第３の接続部２１２に接続された電池パック１１０と、第２の接続部１０９に接続された外部装置とから供給される電力を、それぞれ電源制御部２１３に給電する。充電放電制御部２１４は、第２の接続部１０９に外部装置が接続されていない場合は、電池パックからの供給電力を電源制御部２１３に給電する。さらに、充電放電制御部２１４は、第２の接続部１０９に外部装置が接続されている場合、外部装置からの供給電力を電源制御部２１３に給電しつつ、電池パックを充電するように電力を供給することができる。なお、充電放電制御部２１４は、電源スイッチ１０５がオン状態であるかオフ状態であるかに関わらず、電池パック１１０または外部電源から供給される電力で動作することができる。
【００２２】
多色発光表示器１０８は、例えば、点灯時に緑色の光を発光する第１の表示器２１５と、点灯時に橙色の光を発光する第２の表示器２１６を有し、これらの互いに異なる色で発光する表示器が共通の表示窓の近傍に配置されることで形成されている。第１の発光制御部２１７は、システム制御部２０７の指示で第１の表示器２１５の点灯（発光）と消灯を制御する。第２の発光制御部２１８は、充電放電制御部２１４の指示で第２の表示器２１６の点灯（発光）と消灯を制御する。消灯制御部２１９はシステム制御部２０７の指示で、充電放電制御部２１４の制御に係らず、第２の表示器２１６の消灯した状態を維持するように制御する。
【００２３】
図３は、第１の発光制御部２１７、第２の発光制御部２１８及び消灯制御部２１９の回路の構成の一例を示す図である。
図３において、第１の発光制御部２１７は、抵抗器３０１とトランジスタ３０２を有している。抵抗器３０１は、一方は電源であるＰＳ（１）に、もう一方は第１の表示器２１５のアノードに接続されている。トランジスタ３０２は、ベースがシステム制御部２０７の端子Ａに、エミッタがグランド（以下、ＧＮＤ）に、コレクタが第１の表示器２１５のカソードに、それぞれ接続されている。なお、電源ＰＳ（１）は、例えば、充電放電制御部２１４の電源出力に接続されている。第１の発光制御部２１７は、システム制御部２０７の端子Ａの状態に応じて第１の表示器２１５の発光と消灯とを制御する。すなわち、システム制御部２０７の端子Ａが論理Ｌｏｗの場合には、トランジスタ３０２のエミッタとコレクタとの間がオフ状態になり、第１の表示器２１５は消灯する。他方、システム制御部２０７の端子Ａが論理Ｈｉｇｈになると、トランジスタ３０２のエミッタとコレクタとの間がオン状態になり、第１の表示器２１５は発光する。
【００２４】
第２の発光制御部２１８は、抵抗器３０３、抵抗器３０４、抵抗器３０５、トランジスタ３０６を有する。抵抗器３０３は、一方は電源であるＰＳ（２）に、もう一方は抵抗器３０４に接続されている。抵抗器３０４は、一方は抵抗器３０３に、もう一方はＧＮＤに接続されている。すなわち、ＰＳ（２）は、抵抗器３０３と抵抗器３０４で分圧されている。なお、ＰＳ（２）は例えば、充電放電制御部２１４の電源出力に接続されている。抵抗器３０５は、一方は電源であるＰＳ（３）に、もう一方は第２の表示器２１６のアノードに接続されている。トランジスタ３０６では、ベースが抵抗器３０３と抵抗器３０４の接続部に、エミッタが充電放電制御部２１４の端子Ｂに、コレクタが第２の表示器２１６のカソードに、それぞれ接続されている。なお、ＰＳ（３）は例えば、充電放電制御部２１４の出力に接続されている。
【００２５】
さらに、充電放電制御部２１４の内部には、端子Ｂを開放またはＧＮＤに接続するスイッチが構成されている。第２の発光制御部２１８は、充電放電制御部２１４の端子Ｂの状態に応じて第２の表示器２１６の発光と消灯とを制御する。すなわち、トランジスタ３０６のベースに、ＰＳ（２）が抵抗器３０３と抵抗器３０４で分圧された電圧が印加されている状態で、充電放電制御部２１４の端子Ｂが開放である場合、トランジスタ３０６がオフ状態となり、第２の表示器２１６は消灯する。他方、トランジスタ３０６のベースに抵抗器３０３と抵抗器３０４で分圧されたＰＳ（２）の電圧が印加されている状態で、充電放電制御部２１４の端子ＢがＧＮＤに接続されると、トランジスタ３０６がオン状態となり、第２の表示器２１６は発光する。
【００２６】
さらに、消灯制御部２１９は、抵抗器３０７、トランジスタ３０８を有する。抵抗器３０７は、一方はトランジスタ３０８のベースに、もう一方はＧＮＤに接続されている。トランジスタ３０８において、ベースは抵抗器３０７とシステム制御部２０７の端子Ｃに接続され、エミッタはＧＮＤに接続され、コレクタはトランジスタ３０６のベースに接続されている。消灯制御部２１９は、システム制御部２０７の端子Ｃの状態に応じて第２の表示器２１６の消灯を制御する。
【００２７】
以上の構成において、システム制御部２０７の端子Ｃが論理Ｈｉｇｈになると、トランジスタ３０８のエミッタとコレクタとの間がオン状態になり、トランジスタ３０６のベースに印加されている電圧がＧＮＤ電位になる。これにより、第２の発光制御部２１８で、充電放電制御部２１４の端子ＢがＧＮＤに接続された状態になっても、第２の表示器２１６は発光しない。したがって、充電放電制御部２１４の端子Ｂの状態に関わらず、第２の表示器２１６は消灯する。なお、システム制御部２０７の端子Ｃが論理Ｌｏｗの場合、トランジスタ３０８のエミッタとコレクタとの間がオフ状態になる。そのため、消灯制御部２１９は、第２の発光制御部２１８による第２の表示器２１６の発光と消灯との制御に影響を与えない。さらに、システム制御部２０７が端子Ｃの状態を制御できない状態では、抵抗器３０７が、トランジスタ３０８のベースをＧＮＤ電位にする。したがって、この場合も、消灯制御部２１９は、第２の発光制御部２１８の第２の表示器２１６の発光と消灯との制御に影響を与えない。
【００２８】
図４は、電子機器１００で行われる第１の発光制御処理の一例を示すフローチャートである。第１の発光制御処理は、電子機器１００が電源オフ状態である場合に、外部装置が第２の接続部１０９に接続された場合に開始される。第２の接続部１０９による外部装置との接続は、例えば、ＵＳＢケーブルが用いられる。この場合、第２の接続部１０９は、ＵＳＢインターフェースである。ここで、充電放電制御部２１４は、第２のメモリ２１０に記憶されているプログラムを実行することにより、図４のフローチャートに示す処理を実行する。
【００２９】
図４において、第２の接続部１０９に外部装置が接続され（Ｓ４０１）、外部装置から充電放電制御部２１４に電力が供給されると、充電放電制御部２１４は動作を開始する（Ｓ４０２）。充電放電制御部２１４は、動作を開始すると、第２の接続部１０９に接続されている外部装置からの供給電力を用いて、ＰＳ（１）〜ＰＳ（３）や、電源制御部２１３に給電する。これに対して、電源制御部２１３は、電源スイッチ１０５の指示がないと、システム制御部２０７を含む各構成要素への電力供給を行わない。
【００３０】
充電放電制御部２１４は、第３の接続部２１２に電池パック１１０が接続されているかどうかを判定する。なお、電池パック１１０が接続されているか否かの判定には、いかような方法が用いられてもよい。例えば、充電放電制御部２１４は、電池パック１１０に備わるサーミスタが接続されているかどうかで、電池パックが接続されているかどうかを検出することができる。充電放電制御部２１４は、電池パック１１０が接続されている場合（Ｓ４０３でＹＥＳ）、外部装置からの供給電力で電池パック１１０の充電を開始する（Ｓ４０４）。他方、電池パック１１０が接続されていない場合（Ｓ４０３でＮＯ）、充電放電制御部２１４はこの処理（図４の処理）を終了する。
【００３１】
電池パック１１０の充電を開始した充電放電制御部２１４は、第２の発光制御部２１８を介して第２の表示器２１６の発光制御を開始する（Ｓ４０５）。すなわち、充電放電制御部２１４は、端子ＢをＧＮＤに接続し、第２の表示器２１６を発光することで、充電中であることをユーザに通知する。この時点において、電圧が供給されていないシステム制御部２０７は端子Ｃの状態を制御できない（端子Ｃを論理Ｈｉｇｈとすることができない）。したがって、消灯制御部２１９が、第２の発光制御部２１８による第２の表示器２１６の発光と消灯との制御に影響を与えることはない。
【００３２】
充電放電制御部２１４は、電池パックの充電が完了するまでの期間（Ｓ４０６でＮＯと判定される期間）、第２の発光制御部２１８を介した第２の表示器２１６の発光制御を継続する。充電放電制御部２１４は、電池パック１１０の充電が完了すると（Ｓ４０６でＹＥＳ）、第２の発光制御部２１８を介した第２の表示器２１６の発光制御を終了する（Ｓ４０７）。すなわち、充電放電制御部２１４は、端子Ｂを開放し、第２の表示器２１６を消灯することで、充電完了であることをユーザに通知する。その後、充電放電制御部２１４は、電池パック１１０の充電を終了し（Ｓ４０８）、第１の発光制御処理を終了する。
【００３３】
なお、充電放電制御部２１４は、第２の表示器２１６を消灯することで、充電完了であることを通知するとしたがこれに限られるものではない。例えば、第２の表示器２１６の発光と消灯とを繰り返し、すなわち点滅することで、充電完了であることを通知しても構わない。その場合、充電放電制御部２１４は、端子ＢのＧＮＤへの接続と開放を繰り返し行う。
【００３４】
さらに、電源制御部２１３は、システム制御部２０７が第１の発光制御部２１７を介した第１の表示器２１５の発光制御を行わなければ、システム制御部２０７を含む各構成要素への電力供給を行っても構わない。しかし、外部装置からの供給電力で効率よく電池パック１１０の充電を行うためには、電源制御部２１３からシステム制御部２０７を含む各構成要素への電力供給は行わない方が望ましい。
【００３５】
図５は、電子機器１００で行われる第２の発光制御処理の一例を示すフローチャートである。第２の発光制御処理は、第３の接続部２１２に電池パック１１０が接続されている場合に、電源スイッチ１０５からの指示で電子機器１００が電源オン状態にされた場合に開始される。ユーザによる電源スイッチ１０５の電源オン指示に応じて、電源制御部２１３は、充電放電制御部２１４からの給電電力を、システム制御部２０７を含む電子機器１００の各構成要素に供給することを開始する。さらに、システム制御部２０７は、第２のメモリ２１０に記憶されているプログラムを実行することにより、図５のフローチャートが示す処理を実行する。
【００３６】
図５において、システム制御部２０７は、消灯制御部２１９を用いて第２の表示器２１６の消灯制御を開始する（Ｓ５０１）。すなわち、システム制御部２０７は、端子Ｃを論理Ｈｉｇｈに設定することで、充電放電制御部２１４の端子Ｂの状態に関わらず、第２の表示器２１６を消灯状態に維持する。これにより、図４の処理により第２の表示器２１６が発光するように制御されても、第２の表示器２１６は消灯状態を維持する。システム制御部２０７は、第２の接続部１０９に外部装置が接続されているかどうかを確認する（Ｓ５０２）。外部装置が接続されていると判定された場合（Ｓ５０３でＹＥＳ）、システム制御部２０７は、充電放電制御部２１４に電池パック１１０の充電状態を確認する（Ｓ５０４）。システム制御部２０７は、第２の表示器２１６で通知される内容である電池パック１１０への充電状態を、表示部１０２の表示画面に表示する。
【００３７】
システム制御部２０７は、電池パック１１０への充電が完了していない場合（Ｓ５０５でＮＯ）、表示制御部２０９に対し、表示部１０２に充電中の表示を行うよう指示する（Ｓ５０６）。指示を受けた表示制御部２０９は、例えば、画像処理部２０４からの画像データに、充電中を示す情報を重畳した表示用の画像データを表示部１０２に供給する。電池パックへの充電が完了している場合（Ｓ５０５でＹＥＳ）、システム制御部２０７は、表示制御部２０９に対し、表示部１０２に充電完了の表示を行うよう指示する（Ｓ５０７）。指示を受けた表示制御部２０９は、例えば、画像処理部２０４からの画像データに、充電完了を示す情報を重畳した表示用の画像データを表示部１０２に供給する。
【００３８】
他方、Ｓ５０３で外部装置が接続されていないと判定された場合（Ｓ５０３でＮＯ）、システム制御部２０７は、表示制御部２０９に対して表示部１０２に外部装置が接続されていない表示を行うよう指示する（Ｓ５０８）。指示を受けた表示制御部２０９は、例えば、画像処理部２０４からの画像データに、電池パックの残量を示す情報を重畳した表示用の画像データを表示部１０２に供給する。
【００３９】
次に、システム制御部２０７は、記憶媒体制御部２１１が第１の接続部１０７に接続されている記憶媒体１０６に対し、データの書き込みや読み出しといったアクセスを実行しているかどうかを確認する（Ｓ５０９）。記憶媒体１０６にアクセスを実行している場合（Ｓ５１０でＹＥＳ）、システム制御部２０７は、第１の発光制御部２１７を用いて第１の表示器２１５の発光制御を開始する（Ｓ５１１）。すなわち、システム制御部２０７は、端子Ａを論理Ｈｉｇｈにし、第１の表示器２１５を発光することで、記憶媒体１０６にアクセスを実行していることをユーザに通知する。記憶媒体１０６へのアクセスを実行していない場合（Ｓ５１０でＮＯ）、第１の発光制御部２１７を介した第１の表示器２１５の発光制御を終了する（Ｓ５１２）。すなわち、システム制御部２０７は、端子Ａを論理Ｌｏｗにして第１の表示器２１５を消灯することで、記憶媒体１０６にアクセスを実行していないことをユーザに通知する。
【００４０】
次に、システム制御部２０７は、電源スイッチ１０５から電源オフ指示があるかどうかを確認する（Ｓ５１３）。電源オフ指示がある場合（Ｓ５１４でＹＥＳ）、システム制御部２０７は、消灯制御部２１９を介した第２の表示器２１６の消灯制御を終了する（Ｓ５１５）。すなわち、システム制御部２０７は、端子Ｃを論理Ｌｏｗとし、第２の発光制御部２１８による第２の表示器２１６の発光と消灯との制御への影響を与えなくする。システム制御部２０７は、電源オフ指示がない場合（Ｓ５１４でＮＯ）、Ｓ５１４からＳ５０２に戻る。
【００４１】
このように、電子機器１００においては、同時に発生し得る状態の表示、例えば、記憶媒体１０６へのアクセス状態を示す表示と、電池パックの充電状態を示す表示とを、多色発光表示器１０８の発光制御により択一的に行うことができる。これにより、同時に発生し得る２つの異なる状態を視認性を低下させることなく表示することができ、ユーザの利便性を向上させることができる。
【００４２】
なお、実施形態１では、多色発光表示器１０８を用いて、電池パック１１０の充電状態と記憶媒体１０６へのアクセス状態とを表示したが、多色発光表示器１０８に表示させる状態はこれらに限られるものではない。例えば、電源スイッチ１０５がオン状態で発生し得る第１の状態を示す表示と、電源スイッチ１０５がオン状態であるかオフ状態であるかに関わらず発生し得る第２の状態を示す表示との組合せを多色発光表示器１０８を用いて表示するようにすることもできる。
【００４３】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。さらに、実施形態２では、コンピュータＸを制御するためのプログラムであって、実施形態１で説明した様々な機能、処理及び方法を実現するためのプログラムを「プログラムＹ」と呼ぶ。
【００４４】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙな記憶媒体である。
【符号の説明】
【００４５】
１００：電子機器、１０１：撮像光学系、１０２：表示部、１０３：シャッターボタン、１０４：指示入力部、１０５：電源スイッチ、１０６：記憶媒体、１０７：第１の接続部、１０８：多色発光表示器、１０９：第２の接続部、２０７：システム制御部、２０８：メモリ、２０９：表示制御部、２１２：第３の接続部、２１３：電源制御部、２１４：充電放電制御部、２１５：第１の表示器、２１６：第２の表示器、２１７：第１の発光制御部、２１８：第２の発光制御部、２１９：消灯制御部
【図１Ａ】
2017073097.tif 000003
【図１Ｂ】
2017073097.tif 000004
【図２】
2017073097.tif 000005
【図３】
2017073097.tif 000006
【図４】
2017073097.tif 000007
【図５】
2017073097.tif 000008